(57)【要約】【課題】マイコンにリセットが掛からない液晶表示装置および液晶テレビジョンを提供する。【解決手段】インバータ２６０への電源供給ラインからフィードバックのかかる電源回路２４０を備えて、８ＶレギュレータＩＣ３５に二次コイルＴｒ１より電圧が供給され、３．３ＶレギュレータＩＣ４０に二次コイルＴｒ２または８ＶレギュレータＩＣ３５から電圧が供給され、３．３ＶレギュレータＩＣ４０からマイコン２５０に電圧が供給される液晶テレビジョンおよび液晶表示装置で、８ＶレギュレータＩＣ３５をインバータのオフに遅れないようにオンにする。【選択図】図４
0003120526.tif 000002
【実用新案登録請求の範囲】
【請求項１】
バックライトを備えて画面に映像を表示する液晶モジュールと、
交流電圧が入力されて直流電圧を出力する整流回路と、
上記直流電圧が入力される一次コイルと、同一次コイルに直流電圧が入力されると所定の電圧を出力する第一の二次コイルと第二の二次コイルと第三の二次コイルとを備える電圧生成部と、
上記第一の二次コイルより電圧を供給され、制御端子に制御信号が入力されると８Ｖを出力する８ＶレギュレータＩＣと、
上記第二の二次コイルまたは上記８ＶレギュレータＩＣから電圧の供給を受け、３．３Ｖを出力する３．３ＶレギュレータＩＣと、
上記第三の二次コイルより電圧を供給され、所定の制御信号が入力されると上記バックライトを点灯させるインバータと、
上記３．３ＶレギュレータＩＣより電圧を供給されて動作するマイコンと、
上記インバータの電源ラインを監視して、同電源ラインに供給される電圧が第一の基準電圧または第二の基準電圧となるように調整させるフィードバック信号を出力するフィードバック回路と、
上記フィードバック回路からのフィードバック信号に基づいて、上記一次コイルをＰＷＭ制御するスイッチング回路と
を備える液晶テレビジョンにおいて、
上記バックライトは電源のオンに遅れてオンとなり、電源がスタンバイとなるのに先立ってオフとなり、
上記第一の二次コイルからは３５Ｖと９Ｖとが切り替えて供給され、電源がオンとなると３５Ｖ出力を開始し、スタンバイになると９Ｖ出力を開始し、
上記第二の二次コイルからは電源がオンとなると６．５Ｖが供給され、上記バックライトがオフとなると電圧供給が落ち込み、スタンバイ時には電圧が出力されず、
８ＶレギュレータＩＣには、上記バックライトがオンとなると制御信号の入力が停止され、上記バックライトがオンとなると制御信号の入力が開始されることを特徴とする液晶テレビジョン。
【請求項２】
バックライトを備える液晶モジュールと、
交流電圧が入力されて直流電圧を出力する整流回路と、
上記直流電圧が入力される一次コイルと、同一次コイルに直流電圧が入力されると所定の電圧を出力する第一の二次コイルと第二の二次コイルと第三の二次コイルとを備える電圧生成部と、
上記第一の二次コイルより電圧を供給され、所定の制御信号が入力されると同供給された電圧よりも低い所定の電圧を出力する第一のレギュレータと、
上記第二の二次コイルまたは上記第一のレギュレータから電圧の供給を受け、同供給された電圧よりも低い所定の電圧を出力する第二のレギュレータと、
上記第三の二次コイルより電圧を供給され、所定の制御信号が入力されると上記バックライトを点灯させるインバータと、
上記第二のレギュレータより電圧を供給されて動作するマイコンと、
上記インバータの電源ラインに供給される電圧を監視して、同電源ラインに供給される電圧を所定のレベルに調整させるフィードバック信号を出力するフィードバック回路と、
上記フィードバック回路からのフィードバック信号に基づいて、上記一次コイルをＰＷＭ制御するスイッチング回路と
を備える液晶表示装置において、
上記バックライトは電源のオンに遅れてオンとなり、電源がスタンバイとなるのに先立ってオフとなり、
上記第一の二次コイルからは第一の電圧と第二の電圧とが切り替えて供給され、電源がオンとなると上記第一の電圧の出力を開始し、スタンバイになると上記第二の電圧の出力を開始し、
上記第二の二次コイルからは電源がオンとなると第三の電圧の出力が開始され、バックライトがオフとなると電圧供給が落ち込み、スタンバイ時には電圧が出力されず、
上記第一のレギュレータには、バックライトがオンとなると制御信号の入力が停止され、バックライトがオンとなると制御信号の入力が開始されることを特徴とする液晶表示装置。
【請求項３】
上記第一の二次コイルからは、上記第一の電圧として３５Ｖが出力され、上記第二の電圧として９Ｖが出力され、
上記第二の二次コイルからは、上記第三の電圧として６．５Ｖが出力され、
上記第一のレギュレータは、上記第一の二次コイルより３５Ｖまたは９Ｖを供給されると８Ｖを出力し、
上記第二のレギュレータは、上記第一のレギュレータからの８Ｖまたは上記第二の二次コイルからの６．５Ｖが供給されると３．３Ｖの電圧を出力することを特徴とする上記請求項２に記載の液晶表示装置。
【考案の詳細な説明】
【技術分野】
【０００１】
本考案は、スタンバイ時と電源オン時で異なるラインから電源を供給されるマイコンが搭載された液晶表示装置および液晶テレビジョンに関する。
【背景技術】
【０００２】
図２は、本考案にかかる電源回路２４０とマイコン１５０への電源供給に関わる部分の概略構成をブロック図により示している。電源回路２４０は部分共振電源回路であり、概略、外部の例えば商用ＡＣ電源を整流回路２０にて全波整流した上、コンデンサＣ１で平滑化され一次側に入力される電圧を所望の電圧に調整して二次側に出力するトランスＴｒと、トランスＴｒの二次側の電圧を一次側にフィードバックするフィードバック回路３０と、フィードバック回路３０からのフィードバック信号によりトランスＴｒの一次側電圧をＰＷＭ制御するスイッチング回路２５とからなる。
【０００３】
トランスＴｒの二次側とマイコン２５０との間には、ＩＣにより実現される８ＶレギュレータＩＣ３５および３．３ＶレギュレータＩＣ４０が配置されている。また、トランスＴｒの二次側にはインバータ２６０が接続され、トランスＴｒより出力される電圧を交流に変換してバックライト１３ａに供給している。
【０００４】
図２では、整流ブリッジを備える整流回路２０に交流電圧が入力され、交流電圧を直流電圧に変換して出力する。次に、整流回路２０から出力される直流電圧はコンデンサＣ１にて平滑化され、トランスＴｒの一次コイルＴｒ０に入力され、それぞれ特定の巻数比となった各二次コイルＴｒ１〜Ｔｒ３より各構成回路に所定の電圧が出力される。図２には、マイコン２５０とインバータ２６０と、バックライト１３ａとが示してあるが、むろんこれら以外の構成回路にも電圧は供給される。
【０００５】
二次コイルＴｒ１より出力される電圧Ｖ１はＩＣにて実現される８ＶレギュレータＩＣ３５へ入力され、二次コイルＴｒ２から出力される電圧Ｖ２はＩＣにて実現される３．３ＶレギュレータＩＣ４０に入力され、二次コイルＴｒ３から出力される電圧Ｖ３はインバータ２６０へ入力されてバックライト１３ａを点灯させる。インバータ２６０は、液晶テレビジョン１０のオンオフに応じて生成されるＢ／Ｌ＿ＳＷシーケンスの制御信号が入力されて、バックライト１３ａへ供給する電圧の制御や、バックライト１３ａの点灯と消灯を行う。
【０００６】
８ＶレギュレータＩＣ３５は、制御端子に液晶テレビジョン１０のオンオフに応じて生成されるＲｅｇＩＣ１シーケンスの制御信号が入力され、オンのとき８Ｖよりも高電圧が入力されると８Ｖを出力する。一方、３．３ＶレギュレータＩＣ４０は、８ＶレギュレータＩＣ３５または二次コイルＴｒ２のいずれかより３．３Ｖよりも高電圧が供給されると３．３Ｖを出力する。
【０００７】
フィードバック回路３０は、インバータ２６０の電源ラインに接続され、二次コイルＴｒ２から出力される電圧が所定電圧を超えると、スイッチング回路２５にフィードバック信号に出力する。スイッチング回路２５は発振回路を備え、フィードバック回路より入力されるフィードバック信号が入力されると、ＰＷＭ制御によるフィードバック制御を行い、二次コイルＴｒ２の出力電圧が適正電圧となるように適宜調整し、一次コイルＴｒ０に駆動電圧を出力する。
【０００８】
フィードバック回路３０としては、図５のようなものが考えられる。インバータ２６０の電源ラインには、抵抗Ｒ１とＲ２とが対ＧＮＤに直列に、抵抗Ｒ３とＲ４とが対ＧＮＤに直列に、それぞれ接続されている。抵抗Ｒ１とＲ２との分割点Ａと、抵抗Ｒ３とＲ４との分割点Ｂと、ツェナダイオードＴＤのアノード側と、は三端子スイッチ回路ＳＷに接続され、ツェナダイオードＴＤを分割点Ａと分割点Ｂのいずれかに切り替えて接続する。
【０００９】
三端子スイッチ回路ＳＷとしては、電流切り換え型のトランジスタ・スイッチなどを使用すればよい。三端子スイッチ回路ＳＷは、マイコン２５０の制御により、ツェナダイオードＴＤを分割点Ａに接続させるか分割点Ｂに接続させるかを切り替える。
【００１０】
上記抵抗Ｒ１、Ｒ２の分割点Ａに接続されたツェナダイオードＴＤの降伏電圧は、インバータ２６０の電源ラインに供給される電圧が、分割点Ａに接続される場合と分割点Ｂに接続された場合とでそれぞれ異なる電圧で一定となるよう抵抗Ｒ１、Ｒ２の定数および抵抗Ｒ３，Ｒ４の定数を設定し、決定される。
【００１１】
異なる電圧としては、液晶テレビジョン１０の電源オン時とスタンバイ時とにそれぞれ供給される電圧であり、電源オン時のほうが高電圧となる。本実施例においては、電源回路は分割点Ａに接続されたとき高電圧、分割点Ｂに接続されたとき低電圧を供給するものとする。
【００１２】
ここで、ツェナダイオードＴＤの降伏電圧と抵抗Ｒ１，Ｒ２とが上記電源ラインに供給される第一の基準電圧を決定し、ツェナダイオードＴＤの降伏電圧と抵抗Ｒ３，Ｒ４とが上記電源ラインに供給される第二の基準電圧を決定する
【００１３】
マイコン２５０は、３．３ＶレギュレータＩＣ４０から出力される電圧にて駆動される。そして、三端子スイッチ回路ＳＷを切替制御することにより、フィードバック回路３０を介してトランスＴｒの二次コイルＴｒ１，Ｔｒ２，Ｔｒ３へ供給される電圧を高電圧とするか低電圧とするかを制御する。
【００１４】
さらに、ＲｅｇＩＣ１シーケンスに従う８ＶレギュレータＩＣ３５のオンオフにより、マイコン２５０へ供給される電圧は、二次コイルＴｒ１と８ＶレギュレータＩＣ３５と３．３ＶレギュレータＩＣ４０とを経由して供給されるか、二次コイルＴｒ１と３．３ＶレギュレータＩＣ４０とを経由し供給されるかが切り換わる。
【００１５】
図５は、液晶テレビジョン１０のオンオフに伴って生成される制御シーケンスおよびそれに伴う回路の各点における電圧をタイミングチャートにより示した図である。
同図において、Ｐ−ＯＮ−ＨおよびＢ／Ｌ＿ＳＷは、液晶テレビジョン１０のオンオフに伴って生成される制御信号のシーケンスである。Ｐ−ＯＮ−Ｈはリモコン受光部２７０を介してマイコン２５０がリモコン２７５より電源オンの操作コマンドを受信するとオンとなり、リモコン受光部２７０を介してマイコン２５０がリモコン２７５よりスタンバイの操作コマンドを受信するとオフとなる。一方、Ｂ／Ｌ＿ＳＷはバックライト１３ａの点灯と消灯を制御するもので、Ｐ−ＯＮ−Ｈよりも遅れてオン（バックライト点灯）となり、Ｐ−ＯＮ−Ｈよりも速くオフ（バックライト消灯）となる。
【００１６】
また、Ｖ１，Ｖ２，Ｖ３は、それぞれ二次コイルＴｒ１，Ｔｒ２，Ｔｒ３から出力される電圧を表し、Ｖ１は３５Ｖと９Ｖが、Ｖ２は６．５Ｖと０Ｖが、Ｖ３は２１Ｖと３Ｖが、それぞれ切り替わるタイミングを示している。Ｖａは、３．３ＶレギュレータＩＣ４０に供給される電圧であり、８ＶレギュレータＩＣ３５か二次コイルＴｒ２のいずれかより、６．５〜８Ｖの電圧が供給さる。
【００１７】
ＲｅｇＩＣ１は８ＶレギュレータＩＣ３５の制御端子に入力される制御信号であり、Ｐ−ＯＮ−Ｈがオンのときはオフが入力されて８ＶレギュレータＩＣ３５は電圧出力を停止し、Ｐ−ＯＮ−Ｈがオフのときはオンが入力されて電圧出力を開始する。
【００１８】
Ｖ１はＰ−ＯＮ−Ｈのオンと同時に３５Ｖとなり、Ｐ−ＯＮ−Ｈがオフされると９Ｖとなる。Ｖ２はＰ−ＯＮ−Ｈのオンと同時に６．５Ｖとなり、Ｂ／Ｌ＿ＳＷがオフされると６．５Ｖの出力を停止する。Ｖ３はＰ−ＯＮ−Ｈがオフの間は３Ｖであり、Ｐ−ＯＮ−ＨがオンされてからＢ／Ｌ＿ＳＷがオンされるまでの間に３Ｖから２１Ｖまで次第に出力電圧が上昇し、Ｂ／Ｌ＿ＳＷがオンの間は２１Ｖを出力する。そして、Ｂ／Ｌ＿ＳＷがオフされてからＰ−ＯＮ−Ｈがオフされるまでの間、２１Ｖから３Ｖまで次第に出力電圧を下降させ、Ｐ−ＯＮ−Ｈがオフされると３Ｖを出力する。
【００１９】
以上のように構成された回路が、図５のタイミングチャートによりどのように動作するかを説明する。
液晶テレビジョン１０がスタンバイのとき、マイコン２５０には、二次コイルＴｒ１より出力される９Ｖが８ＶレギュレータＩＣ３５および３．３ＶレギュレータＩＣ４０にて降圧され、３．３Ｖが供給されている。
【００２０】
この時、リモコン受光部２７０を介してマイコン２５０がリモコン２７５より電源オンの操作コマンドを受信すると、マイコン２５０が各部の制御を開始し、三端子スイッチ回路ＳＷを高電圧側の分割点に接続させる。そして、フィードバック回路３０はスイッチング回路２５にフィードバック信号を出力し、スイッチング回路２５が一次コイルＴｒ０のＰＷＭ制御を開始する。
【００２１】
これにより、二次コイルＴｒ１は３５Ｖを出力し、二次コイルＴｒ２は６．５Ｖを出力し、二次コイルＴｒ３の出力電圧Ｖ３は３Ｖから２１Ｖへと上昇開始する。このとき、８ＶレギュレータＩＣ３５はオフとなり電圧出力を停止する。したがって、マイコン２５０には、二次コイルＴｒ２から出力される電圧Ｖ２の６．５Ｖが３．３ＶレギュレータＩＣ４０にて降圧され、３．３Ｖが供給される。
【００２２】
そして、二次コイルＴｒ３の出力電圧Ｖ３の上昇が完了すると、Ｂ／Ｌ＿ＳＷがオンとなり、インバータ２６０がバックライト１３ａを点灯させる。
【００２３】
一方、電源オン時に、リモコン受光部２７０を介してマイコン２５０がリモコン２７５よりスタンバイを指示する操作コマンドを受信すると、マイコン２５０が各部の制御を開始し、三端子スイッチ回路ＳＷを低電圧側の分割点に切り替えて接続させるため、フィードバック回路３０はインバータ２６０の電源ラインに供給される電圧が一定の低電圧となるようになフィードバック信号を出力する。
【００２４】
すると、スイッチング回路２５は、フィードバック信号にしたがって一次コイルＴｒ０のＰＷＭ制御を開始する。そして、Ｂ／Ｌ＿ＳＷがオフとなり、二次コイルＴｒ３の出力電圧Ｖ３が２１Ｖから３Ｖへと下降開始する。このとき一次コイルＴｒ０の電圧降下に伴い、二次コイルＴｒ３の出力電圧Ｖ３だけでなく、二次コイルＴｒ２の出力電圧Ｖ２も落ち込む。
【００２５】
つまり、３．３ＶレギュレータＩＣ４０に供給される電圧Ｖａが０Ｖとなり、マイコン２５０に供給される電圧も０Ｖとなり、マイコン２５０にリセットがかかる。
【００２６】
二次コイルＴｒ３の出力電圧Ｖ３が３Ｖまでの電圧降下すると、Ｐ−ＯＮ−ＨがオフとなるとともにＲｅｇＩＣ１がオンとなる。したがって、二次コイルＴｒ１の出力電圧Ｖ１は９Ｖとなり、二次コイルＴｒ１から出力される電圧Ｖ１が８ＶレギュレータＩＣ３５にて８Ｖに降圧されて３．３ＶレギュレータＩＣ４０に入力され、３．３ＶレギュレータＩＣ４０にて３．３Ｖに降圧された電圧がマイコン２５０に供給される。
【００２７】
ところで、従来、マイコンへの電源供給方法については以下のような公知技術が知られている。
すなわち、特許文献１には、液晶のバックライト電源の電圧を抵抗にて分圧して得た電圧を、オペアンプ、基準電圧などにより構成される電圧比較回路により比較して作った信号にて、液晶電源のシーケンスを守る液晶の電源制御回路について開示されている。
【００２８】
また、特許文献２には、バックライトをオフすると同時に表示制御回路に与える電圧を下げ、表示制御回路内部の黒く周波数を変化させ表示制御回路自体の消費電力を低減する表示装置の電源供給方式について開示されている。
【００２９】
さらに特許文献３には、機器全体の電源がターンオフされても、まず、先にターンオフするように規定されている電源のターンオフと、ステータスデータの書き込みと、ＬＣＤリセット制御信号の立ち下げとを行ってからシステム全体の電源がオフ状態にする、マイクロコンピュータ利用機器の電源制御装置について開示されている。
【特許文献１】特開平１−２２５９９５号公報
【特許文献２】特開平６−１７５６０５号公報
【特許文献３】特開２００２−２１５１０７号公報
【考案の開示】
【考案が解決しようとする課題】
【００３０】
以上より、スタンバイへ移行する際、３．３ＶレギュレータＩＣ４０に供給される電圧Ｖａが一時的に落ち込むことによりマイコンがリセットされ、マイコンの再起動に余計な時間を必要としていた。
【００３１】
本考案は上記課題に鑑みてなされたもので、スタンバイに移行する際に、マイコンへ安定して電圧を供給し、マイコンにリセットが掛からない液晶テレビジョンおよび液晶表示装置を提供することを目的とする。
【課題を解決するための手段】
【００３２】
上記課題を解決するために、本考案の請求項１に記載の液晶テレビジョンでは、バックライトを備えて画面に映像を表示する液晶モジュールと、交流電圧が入力されて直流電圧を出力する整流回路と、上記直流電圧が入力される一次コイルと、同一次コイルに直流電圧が入力されると所定の電圧を出力する第一の二次コイルと第二の二次コイルと第三の二次コイルとを備える電圧生成部と、上記第一の二次コイルより電圧を供給され、制御端子に制御信号が入力されると８Ｖを出力する８ＶレギュレータＩＣと、上記第二の二次コイルまたは上記８ＶレギュレータＩＣから電圧の供給を受け、３．３Ｖを出力する３．３ＶレギュレータＩＣと、上記第三の二次コイルより電圧を供給され、所定の制御信号が入力されると上記バックライトを点灯させるインバータと、上記３．３ＶレギュレータＩＣより電圧を供給されて動作するマイコンと、上記インバータの電源ラインを監視して、同電源ラインに供給される電圧が第一の基準電圧または第二の基準電圧となるように調整させるフィードバック信号を出力するフィードバック回路と、上記フィードバック回路からのフィードバック信号に基づいて、上記一次コイルをＰＷＭ制御するスイッチング回路とを備える液晶テレビジョンにおいて、上記バックライトは電源のオンに遅れてオンとなり、電源がスタンバイとなるのに先立ってオフとなり、上記第一の二次コイルからは３５Ｖと９Ｖとが切り替えて供給され、電源がオンとなると３５Ｖ出力を開始し、スタンバイになると９Ｖ出力を開始し、上記第二の二次コイルからは電源がオンとなると６．５Ｖが供給され、上記バックライトがオフとなると電圧供給が落ち込み、スタンバイ時には電圧が出力されず、８ＶレギュレータＩＣには、上記バックライトがオンとなると制御信号の入力が停止され、上記バックライトがオンとなると制御信号の入力が開始される構成としてある。
【００３３】
また、上記目的を達成するために、請求項２に記載の液晶表示装置では、バックライトを備える液晶モジュールと、交流電圧が入力されて直流電圧を出力する整流回路と、上記直流電圧が入力される一次コイルと、同一次コイルに直流電圧が入力されると所定の電圧を出力する第一の二次コイルと第二の二次コイルと第三の二次コイルとを備える電圧生成部と、上記第一の二次コイルより電圧を供給され、所定の制御信号が入力されると同供給された電圧よりも低い所定の電圧を出力する第一のレギュレータと、上記第二の二次コイルまたは上記第一のレギュレータから電圧の供給を受け、同供給された電圧よりも低い所定の電圧を出力する第二のレギュレータと、上記第三の二次コイルより電圧を供給され、所定の制御信号が入力されると上記バックライトを点灯させるインバータと、上記第二のレギュレータより電圧を供給されて動作するマイコンと、上記インバータの電源ラインに供給される電圧を監視して、同電源ラインに供給される電圧を所定のレベルに調整させるフィードバック信号を出力するフィードバック回路と、上記フィードバック回路からのフィードバック信号に基づいて、上記一次コイルをＰＷＭ制御するスイッチング回路とを備える液晶表示装置において、上記バックライトは電源のオンに遅れてオンとなり、電源がスタンバイとなるのに先立ってオフとなり、上記第一の二次コイルからは第一の電圧と第二の電圧とが切り替えて供給され、電源がオンとなると上記第一の電圧の出力を開始し、スタンバイになると上記第二の電圧の出力を開始し、上記第二の二次コイルからは電源がオンとなると第三の電圧の出力が開始され、上記バックライトがオフとなると電圧供給が落ち込み、スタンバイ時には電圧が出力されず、上記第一のレギュレータには、上記バックライトがオンとなると制御信号の入力が停止され、上記バックライトがオンとなると制御信号の入力が開始される構成としてある。
【００３４】
つまり、上記液晶表示装置の電源がオンとなると、上記第一の二次コイルからは上記第一の電圧の出力が開始され、上記第二の二次コイルからは上記第三の電圧の供給が開始され、上記電源のオンに遅れて上記バックライトがオンとなり、上記バックライトがオンとなると上記第一のレギュレータには制御信号の入力が停止される。そして、上記液晶表示装置の電源がスタンバイとなるのに先立って上記バックライトがオフとなり、上記バックライトがオフとなると上記第一のレギュレータには制御信号の入力が開始され、上記バックライトがオフとなると上記第二の二次コイルは電圧供給が落ち込み、次いで、上記電源がスタンバイとなると上記第一の二次コイルからは上記第二の電圧の出力が開始され、上記第二の二次コイルは電圧の出力を停止する。
【００３５】
そして、請求項３にかかる考案では、上記請求項２に記載の液晶表示装置において、上記第一の二次コイルからは、上記第一の電圧として３５Ｖが出力され、上記第二の電圧として９Ｖが出力され、上記第二の二次コイルからは、上記第三の電圧として６．５Ｖが出力され、上記第一のレギュレータは、上記第一の二次コイルより３５Ｖまたは９Ｖを供給されると８Ｖを出力し、上記第二のレギュレータは、上記第一のレギュレータからの８Ｖまたは上記第二の二次コイルからの６．５Ｖが供給されると３．３Ｖの電圧を出力する構成としてある。
【考案の効果】
【００３６】
以上説明したように本考案の請求項１に係る考案によれば、電源の落ち込みを回避することにより、マイコンにリセットがかからない液晶テレビジョンを提供することが出来る。
また、本考案の請求項２または請求項３にかかる考案によれば、電源の落ち込みを回避することにより、マイコンにリセットがかからない液晶表示装置を提供することが出来る。
【考案を実施するための最良の形態】
【００３７】
以下、下記の順序に従って本考案の実施形態を説明する。
（１）本実施形態における概略構成：
（２）マイコンへの電源供給について：
（３）まとめ：
【００３８】
（１）液晶テレビジョンの構成：
図１は、本考案の実施形態にかかる液晶テレビジョン１０の概略構成をブロック図により示している。同図において、液晶テレビジョン１０は、概略、アンテナ２１５の接続されたチューナ回路２１０と、画像データ生成回路２２０と、パネル駆動回路２３０と、バックライトを備えた液晶モジュール１３と、電源回路２４０と、マイコン２５０と、インバータ２６０と、リモコン２７５から送信されてきた操作コマンドを受信するリモコン受光部２７０とからなる。
【００３９】
マイコン２５０は、リモコン受光部２７０で受信した制御コマンドに応じて、電源のオン／スタンバイの切替、チャンネルの切換、音量のアップ／ダウン等を制御する。液晶テレビジョン１０の各部には、電源回路２４０から動作電源が供給されている。この電源回路２４０には、外部から商用電源（例えば、ＡＣ１００Ｖ）が入力される。
【００４０】
上記構成においてマイコン２５０は、液晶テレビジョン１０を構成する各部と電気的に接続しており、マイコン２５０内部の構成部品としてのＣＰＵが、同じくマイコン２５０内の構成部品であるＲＯＭやＲＡＭなどに書き込まれた各プログラムに従って、液晶テレビジョン１０全体を制御する。なお、ＣＰＵやＲＯＭやＲＡＭについては図示を省略している。
【００４１】
チューナ回路２１０は、マイコン２５０の制御によりアンテナ２１５よりテレビ放送を受信し、所定の信号増幅処理等を行いつつ、テレビジョン放送信号から中間周波信号としての映像信号を抽出し、画像データ生成回路２２０へ出力する。画像データ生成回路２２０は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００４２】
パネル駆動回路２３０では、上記ＲＧＢ信号を入力するとともにＲＧＢ信号に対して液晶モジュール１３の画素数（横縦比、ｍ：ｎ）に合わせたスケーリング処理を行い、液晶モジュール１３に表示する１画面分の画像データを生成する。そして、このように生成された画像データを液晶モジュール１３に出力することにより、液晶モジュール１３の画面に映像データに基づく映像表示をさせる。
【００４３】
電源回路２４０は、外部の商用電源等から電源電圧（交流）の供給を受けるとともに、同供給された電源電圧を、マイコン２５０を始めインバータ２６０等、各回路へ供給する。電源回路２４０は、必要に応じて各回路へ供給する電圧を交流から直流へと変換する。
バックライト１３ａは、液晶モジュール１３を背面から照射する光源の役割を果たす。
インバータ２６０は、電源回路２４０から供給された直流電圧を交流電圧に変換し、駆動信号としての当該交流電圧をバックライト１３ａに供給し、バックライト１３ａを点灯させる。
【００４４】
（２）マイコンへの電源供給について：
【００４５】
本実施例の電源回路マイコンへの電源供給に関わる部分の構成は、背景技術にて説明した図２と同一であるので、説明を省略する。
【００４６】
図４は、液晶テレビジョン１０のオンオフに伴って生成される制御シーケンスおよびそれに伴う回路の各点における電圧をタイミングチャートにより示した図である。
同図において、Ｐ−ＯＮ−ＨおよびＢ／Ｌ＿ＳＷは、液晶テレビジョン１０のオンオフに伴って生成される制御信号のシーケンスである。Ｐ−ＯＮ−Ｈはリモコン受光部２７０を介してマイコン２５０がリモコン２７５より電源オンの操作コマンドを受信するとオンとなり、リモコン受光部２７０を介してマイコン２５０がリモコン２７５よりスタンバイの操作コマンドを受信するとオフとなる。
【００４７】
一方、Ｂ／Ｌ＿ＳＷはインバータ２６０に入力されてバックライト１３ａの点灯と消灯を制御する制御信号のシーケンスで、Ｐ−ＯＮ−Ｈよりも遅れてオン（バックライト点灯）となり、Ｐ−ＯＮ−Ｈよりも速くオフ（バックライト消灯）となる。
【００４８】
また、Ｖ１，Ｖ２，Ｖ３は、それぞれ二次コイルＴｒ１，Ｔｒ２，Ｔｒ３から出力される電圧を表し、Ｖ１は３５Ｖと９Ｖが、Ｖ２は６．５Ｖと０Ｖが、Ｖ３は２１Ｖと３Ｖが、それぞれ切り替わるタイミングを示している。Ｖａは、３．３ＶレギュレータＩＣ４０に供給される電圧であり、８ＶレギュレータＩＣ３５か二次コイルＴｒ２のいずれかより、６．５〜８Ｖの電圧が供給さる。
【００４９】
ＲｅｇＩＣ１は８ＶレギュレータＩＣ３５の制御端子に入力される制御信号であり、Ｂ／Ｌ＿ＳＷがオンのときはオフが入力されて８ＶレギュレータＩＣ３５は電圧出力を停止し、Ｂ／Ｌ＿ＳＷがオフのときはオンが入力されて電圧出力を開始する。
【００５０】
Ｖ１はＰ−ＯＮ−Ｈのオンと同時に３５Ｖとなり、Ｐ−ＯＮ−Ｈがオフされると９Ｖとなる。Ｖ２はＰ−ＯＮ−Ｈのオンと同時に６．５Ｖとなり、Ｂ／Ｌ＿ＳＷがオフされると６．５Ｖの出力を停止する。Ｖ３はＰ−ＯＮ−Ｈがオフの間は３Ｖであり、Ｐ−ＯＮ−ＨがオンされてからＢ／Ｌ＿ＳＷがオンされるまでの間に３Ｖから２１Ｖまで次第に出力電圧が上昇し、Ｂ／Ｌ＿ＳＷがオンの間は２１Ｖを出力する。そして、Ｂ／Ｌ＿ＳＷがオフされてからＰ−ＯＮ−Ｈがオフされるまでの間、２１Ｖから３Ｖまで次第に出力電圧を下降させ、Ｐ−ＯＮ−Ｈがオフされると３Ｖを出力する。
【００５１】
以上より、ＲｅｇＩＣ１シーケンスにしたがって８Ｖレギュレータの制御端子に入力される制御信号が上記８ＶレギュレータＩＣに入力される上記所定の制御信号を構成し、Ｂ／Ｌ＿ＳＷシーケンスにしたがってインバータに入力される制御信号が、上記インバータに入力される上記所定の制御信号を構成しする。
また、二次コイルＴｒ１が上記第一の二次コイルを構成し、二次コイルＴｒ２が上記第二の二次コイルを構成し、二次コイルＴｒ３が上記第三の二次コイルを構成し、トランスＴｒとダイオードＤ１〜Ｄ３とコンデンサＣ１〜Ｃ４とフィードバック回路３０とスイッチング回路２５とが上記電圧生成部を構成する。
そして、８ＶレギュレータＩＣ３５が上記第一のレギュレータを構成し、３．３ＶレギュレータＩＣ４０が上記第二のレギュレータを構成する。また、８ＶレギュレータＩＣ３５から供給される３５Ｖが上記第一の二次コイルから供給される第一の電圧を構成し、８ＶレギュレータＩＣ３５から供給される９Ｖが上記第一の二次コイルから供給される第二の電圧を構成し、３．３ＶレギュレータＩＣ４０から供給される６．５Ｖが上記第二の二次コイルから出力される第三の電圧を構成する。
【００５２】
以上のように構成された回路が、図４のタイミングチャートによりどのように動作するかを説明する。
液晶テレビジョン１０がスタンバイのとき、マイコン２５０には、二次コイルＴｒ１より供給される９Ｖが８ＶレギュレータＩＣ３５および３．３ＶレギュレータＩＣ４０にて降圧され、３．３Ｖが供給されている。この時、リモコン受光部２７０を介してマイコン２５０がリモコン２７５より電源オンの操作コマンドを受信すると、マイコン２５０が各部の制御を開始し、三端子スイッチ回路ＳＷを高電圧側の分割点に接続させる。そして、フィードバック回路３０はスイッチング回路２５にフィードバック信号を出力し、スイッチング回路２５が一次コイルＴｒ０のＰＷＭ制御を開始する。
【００５３】
これにより、二次コイルＴｒ１には３５Ｖ、二次コイルＴｒ２には６．５Ｖが供給され、二次コイルＴｒ３へ供給される電圧は３Ｖから２１Ｖへと電圧上昇が開始される。このときマイコン２５０には、二次コイルＴｒ１より供給される３５Ｖが８ＶレギュレータＩＣ３５および３．３ＶレギュレータＩＣ４０にて降圧され、３．３Ｖが供給される。
【００５４】
そして、二次コイルＴｒ３の電圧上昇が完了して電源オン状態になると、Ｂ／Ｌ＿ＳＷがオンとなる。そして、Ｂ／Ｌ＿ＳＷと同期しているＲｅｇＩＣ１がオフとり、８ＶレギュレータＩＣ３５は電圧出力を停止し、二次コイルＴｒ２より供給される６．５Ｖが３．３ＶレギュレータＩＣ４０にて降圧され、３．３Ｖがマイコン２５０に供給される。
【００５５】
一方、電源オン時に、リモコン受光部２７０を介してマイコン２５０がリモコン２７５よりスタンバイを指示する操作コマンドを受信すると、マイコン２５０が各部の制御を開始し、三端子スイッチ回路ＳＷを低電圧側の分割点に切り替えて接続させるため、フィードバック回路３０はインバータ２６０の電源ラインに供給される電圧が一定の低電圧となるようにフィードバック信号を出力する。
【００５６】
すると、スイッチング回路２５は、フィードバック信号にしたがって一次コイルＴｒ０のＰＷＭ制御を開始する。そして、Ｂ／Ｌ＿ＳＷがオフとなり、二次コイルＴｒ３から供給される電圧が２１Ｖから３Ｖへと下降を開始する。このとき一次コイルＴｒ０の電圧の下降に伴い、二次コイルＴｒ３の出力電圧Ｖ３だけでなく、二次コイルＴｒ２の出力電圧Ｖ２も落ち込む。
【００５７】
このとき、Ｂ／Ｌ＿ＳＷシーケンスのオフに遅れずに、マイコン２５０が８ＶレギュレータＩＣ３５にオンの制御信号を出力する。すると、二次コイルＴｒ１の出力電圧Ｖ１が８ＶレギュレータＩＣ３５を介して３，３ＶレギュレータＩＣ４０に供給され、同３．３ＶレギュレータＩＣ４０が３．３Ｖに降圧してマイコン２５０に供給する。これにより、二次コイルＴｒ２の出力電圧Ｖ２が落ち込んでも、マイコン２５０への電圧供給が途切れず、マイコン２５０のリセットを回避できる。
【００５８】
二次コイルＴｒ３の出力電圧Ｖ３が３Ｖまでの電圧降下すると、Ｐ−ＯＮ−Ｈがオフとなり、二次コイルＴｒ１の出力電圧Ｖ１は９Ｖとなり、二次コイルＴｒ２の出力電圧Ｖ２は０Ｖとなる。
以上より、３．３ＶレギュレータＩＣ４０に供給される電圧Ｖａは常に３．３Ｖ以上となり、３．３ＶレギュレータＩＣ４０は３．３Ｖを安定してマイコンに供給することが可能となる。
【００５９】
（３）まとめ：
【００６０】
つまり、８ＶレギュレータＩＣ３５に二次コイルＴｒ１より電圧を供給し、３．３ＶレギュレータＩＣ４０に二次コイルＴｒ２または８ＶレギュレータＩＣ３５から電圧を供給し、インバータ２６０に二次コイルＴｒ３から電圧を供給し、８ＶレギュレータＩＣ３５をインバータのオフに遅れないようにオンにする。
【００６１】
以上説明したように、本実施例に対応する請求項２にかかる液晶表示装置では、バックライトを備える液晶モジュールと、交流電圧が入力されて直流電圧を出力する整流回路と、上記直流電圧が入力される一次コイルと、同一次コイルに直流電圧が入力されると所定の電圧を出力する第一の二次コイルと第二の二次コイルと第三の二次コイルとを備える電圧生成部と、上記第一の二次コイルより電圧を供給され、所定の制御信号が入力されると同供給された電圧よりも低い所定の電圧を出力する第一のレギュレータと、上記第二の二次コイルまたは上記第一のレギュレータから電圧の供給を受け、同供給された電圧よりも低い所定の電圧を出力する第二のレギュレータと、上記第三の二次コイルより電圧を供給され、所定の制御信号が入力されると上記バックライトを点灯させるインバータと、上記第二のレギュレータより電圧を供給されて動作するマイコンと、上記インバータの電源ラインに供給される電圧を監視して、同電源ラインに供給される電圧を所定のレベルに調整させるフィードバック信号を出力するフィードバック回路と、上記フィードバック回路からのフィードバック信号に基づいて、上記一次コイルをＰＷＭ制御するスイッチング回路とを備える液晶表示装置において、上記バックライトは電源のオンに遅れてオンとなり、電源がスタンバイとなるのに先立ってオフとなり、上記第一の二次コイルからは第一の電圧と第二の電圧とが切り替えて供給され、電源がオンとなると上記第一の電圧の出力を開始し、スタンバイになると上記第二の電圧の出力を開始し、上記第二の二次コイルからは電源がオンとなると第三の電圧の出力が開始され、上記バックライトがオフとなると電圧供給が落ち込み、スタンバイ時には電圧が出力されず、上記第一のレギュレータには、上記バックライトがオンとなると制御信号の入力が停止され、上記バックライトがオンとなると制御信号の入力が開始される構成としてある。
【００６２】
つまり、上記液晶表示装置の電源がオンとなると、上記第一の二次コイルからは上記第一の電圧の出力が開始され、上記第二の二次コイルからは上記第三の電圧の供給が開始され、上記電源のオンに遅れて上記バックライトがオンとなり、上記バックライトがオンとなると上記第一のレギュレータには制御信号の入力が停止される。そして、上記液晶表示装置の電源がスタンバイとなるのに先立って上記バックライトがオフとなり、上記バックライトがオフとなると上記第一のレギュレータには制御信号の入力が開始され、上記バックライトがオフとなると上記第二の二次コイルは電圧供給が落ち込み、次いで、上記電源がスタンバイとなると上記第一の二次コイルからは上記第二の電圧の出力が開始され、上記第二の二次コイルは電圧の出力を停止する。
上記のように構成した請求項２に記載の考案においては、電源の落ち込みを回避することにより、マイコンにリセットがかからない液晶表示装置を提供することが出来る。
【００６３】
そして、請求項３にかかる考案では、上記請求項２に記載の液晶表示装置において、上記第一の二次コイルからは、上記第一の電圧として３５Ｖが出力され、上記第二の電圧として９Ｖが出力され、上記第二の二次コイルからは、上記第三の電圧として６．５Ｖが出力され、上記第一のレギュレータは、上記第一の二次コイルより３５Ｖまたは９Ｖを供給されると８Ｖを出力し、上記第二のレギュレータは、上記第一のレギュレータからの８Ｖまたは上記第二の二次コイルからの６．５Ｖが供給されると３．３Ｖの電圧を出力する構成としてある。
上記のように構成した請求項３に記載の考案においては、電源の落ち込みを回避することにより、マイコンにリセットがかからない液晶表示装置を提供することが出来る。
【００６４】
以上の構成を踏まえた上で、請求項１にかかる液晶テレビジョンでは、バックライトを備えて画面に映像を表示する液晶モジュールと、交流電圧が入力されて直流電圧を出力する整流回路と、上記直流電圧が入力される一次コイルと、同一次コイルに直流電圧が入力されると所定の電圧を出力する第一の二次コイルと第二の二次コイルと第三の二次コイルとを備える電圧生成部と、上記第一の二次コイルより電圧を供給され、制御端子に制御信号が入力されると８Ｖを出力する８ＶレギュレータＩＣと、上記第二の二次コイルまたは上記８ＶレギュレータＩＣから電圧の供給を受け、３．３Ｖを出力する３．３ＶレギュレータＩＣと、上記第三の二次コイルより電圧を供給され、所定の制御信号が入力されると上記バックライトを点灯させるインバータと、上記３．３ＶレギュレータＩＣより電圧を供給されて動作するマイコンと、上記インバータの電源ラインを監視して、同電源ラインに供給される電圧が第一の基準電圧または第二の基準電圧となるように調整させるフィードバック信号を出力するフィードバック回路と、上記フィードバック回路からのフィードバック信号に基づいて、上記一次コイルをＰＷＭ制御するスイッチング回路とを備える液晶テレビジョンにおいて、上記バックライトは電源のオンに遅れてオンとなり、電源がスタンバイとなるのに先立ってオフとなり、上記第一の二次コイルからは３５Ｖと９Ｖとが切り替えて供給され、電源がオンとなると３５Ｖ出力を開始し、スタンバイになると９Ｖ出力を開始し、上記第二の二次コイルからは電源がオンとなると６．５Ｖが供給され、上記バックライトがオフとなると電圧供給が落ち込み、スタンバイ時には電圧が出力されず、８ＶレギュレータＩＣには、上記バックライトがオンとなると制御信号の入力が停止され、上記バックライトがオンとなると制御信号の入力が開始される構成としてある。
【００６５】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００６６】
【図１】実施例にかかる液晶テレビジョン（液晶表示装置）の概略構成ブロック図である。
【図２】電源回路からマイコンへの電源供給に関わる部分の概略構成図である。
【図３】フィードバック回路の一例である。
【図４】本実施例における制御シーケンスのタイミングチャートである。
【図５】従来の制御シーケンスのタイミングチャートである。
【符号の説明】
【００６７】
１０…液晶テレビジョン
１３…液晶モジュール
２０…整流回路
２５…スイッチング回路
３０…フィードバック回路
２１５…アンテナ
２２０…画像データ生成回路
２４０…電源回路
２５０…マイコン
２６０…インバータ
２７０…リモコン受光部
２７５…リモコン
Ａ…分割点
Ｂ…分割点
Ｄ１〜Ｄ３…ダイオード
４０…３．３ＶレギュレータＩＣ
３５…８ＶレギュレータＩＣ
Ｒ１、Ｒ２…抵抗
Ｒ３，Ｒ４…抵抗
ＳＷ…三端子スイッチ回路
Ｔｒ…トランス
Ｔｒ０…一次コイル
Ｔｒ１，Ｔｒ２，Ｔｒ３…二次コイル
【図１】
0003120526.tif 000003
【図２】
0003120526.tif 000004
【図３】
0003120526.tif 000005
【図４】
0003120526.tif 000006
【図５】
0003120526.tif 000007